(57)【特許請求の範囲】
【請求項１】
右重ね合せ部を有する右パーツと、左重ね合せ部を有する左パーツと、を有する前身頃を備え、前記右重ね合せ部と前記左重ね合せ部とが着脱手段を介して前後に重なり合うように構成されたプロテクターであって、
前記右重ね合せ部と前記左重ね合せ部とを着脱自在な位置で重ね合わせた重ね合せ部分には、前記右パーツが表側に位置して前記左パーツが裏側に位置する右表重ね合せ部と、
前記左パーツが表側に位置して前記右パーツが裏側に位置する左表重ね合せ部と、
前記右重ね合せ部と前記左重ね合せ部とを重ね合わせる際に互いに引っ掛かることで形成される掛け止め部であって、前記右表重ね合せ部及び前記左表重ね合せ部の間で、前記右パーツ及び前記左パーツが互いに掛け止められる掛け止め部と、
が形成されることを特徴とするプロテクター。
【請求項２】
前記右表重ね合せ部では、前記右重ね合せ部が前記掛け止め部よりも左側に延出し、前記左表重ね合せ部では、前記左重ね合せ部が前記掛け止め部よりも右側に延出している、請求項１に記載のプロテクター。
【請求項３】
前記着脱手段は、前記右表重ね合せ部では前記右重ね合せ部の裏面及び前記左重ね合せ部の表面に設けられて、前記右重ね合せ部の裏面と前記左重ね合せ部の表面とを着脱可能とするように構成され、前記左表重ね合せ部では前記左重ね合せ部の裏面及び前記右重ね合せ部の表面に設けられて、前記左重ね合せ部の裏面と前記右重ね合せ部の表面とを着脱可能とするように構成されている、請求項１又は２に記載のプロテクター。
【請求項４】
前記右表重ね合せ部及び前記左表重ね合せ部は、１つずつ形成されている、請求項１〜３の何れか１項に記載のプロテクター。
【請求項５】
腰当部と、該腰当部と前記前身頃との胴周方向の距離を調整可能な長さ調整部と、を備え、前記長さ調整部は、前記腰当部と前記前身頃とを連結する帯状の本体部であって、先端部が前記前身頃側に位置するように前記腰当部から延設される本体部と、前記前身頃の身幅方向外側端部に取り付けられ、前記本体部の前記先端部が挿通可能な挿通部と、を有し、前記本体部は、前記挿通部に挿通された前記先端部が前記挿通部を起点に前記腰当部側へ折り返されて、前記本体部における前記挿通部よりも前記腰当部側の領域に着脱自在に構成されている、請求項１〜４の何れか１項に記載のプロテクター。
【請求項６】
右重ね合せ部を有する右パーツと、左重ね合せ部を有する左パーツと、を有する前身頃を備え、前記右重ね合せ部と前記左重ね合せ部とが前後に重なり合うように構成されたプロテクターの着用方法であって、
前記右重ね合せ部の一部が表側に位置して前記左重ね合せ部の一部が裏側位置し、
前記右重ね合せ部のうちの前記一部を除く他の部分が裏側に位置して前記左重ね合せ部のうちの前記一部を除く他の部分が表側に位置するように、前記右重ね合せ部と前記左重ね合せ部とを互いに引っ掛けて前記右パーツと前記左パーツとを掛け止める工程を備えることを特徴とするプロテクターの着用方法。
【発明の詳細な説明】
【技術分野】
【０００１】
本発明は、人体を保護するためのプロテクターに関する。
【背景技術】
【０００２】
従来から、スポーツや救助活動等の様々な場面で人体を保護するプロテクターが多数提案されている。
【０００３】
この種のプロテクターの一つとして、野球やソフトボールで使用される前合わせ式のベスト型スポーツ用プロテクター（以下、プロテクターとする）が公知である（特許文献１）。
【０００４】
図１１に示すように、このプロテクター９００は、前身頃９０１が右パーツ９０２と左パーツ９０３とを備え、右パーツ９０２と左パーツ９０３とが連結テープ９０４を介して付けられることで、前身頃９０１が閉じられるように構成されている。
【０００５】
具体的には、このプロテクター９００では、右パーツ９０２の裏面に、上下方向に沿って連結テープ凸部９０５が設けられ、左パーツ９０３の表面に、上下方向に沿って連結テープ凹部９０６が設けられている。連結テープ凸部９０５と連結テープ凹部９０６とが重ね合わされることで右パーツ９０２と左パーツ９０３とが付けられて、前身頃９０１が閉じられるようになっている。そのため、着用者は、体の前側で前身頃９０１を閉じたり開けたりできるので、プロテクター９００を容易に着脱することができるようになっている。
【先行技術文献】
【特許文献】
【０００６】
【特許文献１】特開２０００−１６７０９８号公報
【発明の概要】
【発明が解決しようとする課題】
【０００７】
このプロテクター９００は、右パーツ９０２が表側、左パーツ９０３が裏側に位置するように、右パーツ９０２と左パーツ９０３とが重ね合わされて着用される。このプロテクター９００では、着用者が前身頃９０１を閉じる際に、右パーツ９０２を左側に引き寄せすぎて、右パーツ９０２の連結テープ凸部９０５と左パーツ９０３の連結テープ凹部９０６とが重ならなかったり、右パーツ９０２の左側への引き寄せが不十分なために、右パーツ９０２の連結テープ凸部９０５と左パーツ９０３の連結テープ凹部９０６との重なり領域が狭くなったりする。
【０００８】
右パーツ９０２の連結テープ凸部９０５と左パーツ９０３の連結テープ凹部９０６とが重ならなかったり、右パーツ９０２の連結テープ凸部９０５と左パーツ９０３の連結テープ凹部９０６との重なり領域が狭くなったりすると、着用者は、右パーツ９０２と左パーツ９０３とを適正な位置で重ね合わせるために、連結テープ凸部９０５と連結テープ凹部９０６との重ね合わせをやり直さなければならないし、連結テープ凸部９０５と連結テープ凹部９０６とが適正な位置で重なり合っているか確認しながら着用しなければならない。そのため、上記従来のプロテクター９００は、着用に時間がかかるという問題がある。
【０００９】
なお、このような問題は、野球やソフトボールで使用されるプロテクターに限られず、他のスポーツで使用される防護具や、救命着など、人体を保護するために着用されるプロテクター全般に存在する。
【００１０】
そこで、本発明は、かかる実情に鑑み、素早く着用することができるプロテクターを提供することを課題とする。
【課題を解決するための手段】
【００１１】
本発明に係るプロテクターは、右重ね合せ部を有する右パーツと、左重ね合せ部を有する左パーツと、を有する前身頃を備え、前記右重ね合せ部と前記左重ね合せ部とが着脱手段を介して前後に重なり合うように構成されたプロテクターであって、前記右重ね合せ部と前記左重ね合せ部とを着脱自在な位置で重ね合わせた重ね合せ部分には、前記右パーツが表側に位置して前記左パーツが裏側に位置する右表重ね合せ部と、前記左パーツが表側に位置して前記右パーツが裏側に位置する左表重ね合せ部と、前記右重ね合せ部と前記左重ね合せ部とを重ね合わせる際に互いに引っ掛かることで形成される掛け止め部であって、前記右表重ね合せ部及び前記左表重ね合せ部の間で、前記右パーツ及び前記左パーツが互いに掛け止められる掛け止め部と、が形成されることを特徴とする。
【００１２】
かかる構成によれば、着用時に右パーツを左側に引っ張ると共に左パーツを右側に引っ張って右重ね合せ部と左重ね合せ部とを重ね合わせる際に、右表重ね合せ部と左表重ね合せ部との間で、右パーツと左パーツとが引っ掛かり合って衝突し合う掛け止め部が形成される。そのため、右重ね合せ部と左重ね合せ部とを重ね合わせる際に、右パーツと左パーツとを引っ張り合う動作が停止して、右パーツと左パーツとが互いに着脱可能な位置で素早く位置決めされる。
【００１３】
本発明の一態様として、前記右表重ね合せ部では、前記右重ね合せ部が前記掛け止め部よりも左側に延出し、前記左表重ね合せ部では、前記左重ね合せ部が前記掛け止め部よりも右側に延出していてもよい。
【００１４】
かかる構成によれば、着用時に、右表重ね合せ部における右重ね合せ部と、左表重ね合せ部における左重ね合せ部とを左右方向で交差させれば、右パーツと左パーツとが衝突して掛け止め部が形成され、右パーツと左パーツとの着脱位置が位置決めされる。
【００１５】
本発明の他態様として、前記着脱手段は、前記右表重ね合せ部では前記右重ね合せ部の裏面及び前記左重ね合せ部の表面に設けられて、前記右重ね合せ部の裏面と前記左重ね合せ部の表面とを着脱可能とするように構成され、前記左表重ね合せ部では前記左重ね合せ部の裏面及び前記右重ね合せ部の表面に設けられて、前記左重ね合せ部の裏面と前記右重ね合せ部の表面とを着脱可能とするように構成されていてもよい。
【００１６】
かかる構成によれば、右重ね合せ部と左重ね合せ部とを重ね合わせるだけで、右重ね合せ部と左重ね合せ部とを取り付ける（付け合わせる）ことができるので、右パーツと左パーツとが互いに着脱可能な位置で素早く位置決めされる。
【００１７】
本発明の別の態様として、前記右表重ね合せ部及び前記左表重ね合せ部は、１つずつ形成されていてもよい。
【００１８】
かかる構成によれば、右パーツと左パーツとを重ね合わせる動作を最小限にできて、右パーツと左パーツとを素早く位置決めすることができる。
【００１９】
本発明の別の態様として、腰当部と、該腰当部と前記前身頃との胴周方向の距離を調整可能な長さ調整部と、を備え、前記長さ調整部は、前記腰当部と前記前身頃とを連結する帯状の本体部であって、先端部が前記前身頃側に位置するように前記腰当部から延設される本体部と、前記前身頃の身幅方向外側端部に取り付けられ、前記本体部の前記先端部が挿通可能な挿通部と、を有し、前記本体部は、前記挿通部に挿通された前記先端部が前記挿通部を起点に前記腰当部側へ折り返されて、前記本体部における前記挿通部よりも前記腰当部側の領域に着脱自在に構成されていてもよい。
【００２０】
かかる構成によれば、プロテクターが緩い場合には、着用者は、本体部を挿通部から長く引き出した状態で本体部を折り返して先端部を本体部に付けることで、胴周の長さを絞ることができる。また、プロテクターがきつい場合には、着用者は、本体部を挿通部から短く引き出した状態で本体部を折り返して先端部を本体部に付けることで、胴周の長さを緩めることができる。そのため、着用者は、胴体回りの長さを容易に調整することができるので、プロテクターをフィットさせ易くなっている。
【００２１】
本発明に係るプロテクターの着用方法は、右重ね合せ部を有する右パーツと、左重ね合せ部を有する左パーツと、を有する前身頃を備え、前記右重ね合せ部と前記左重ね合せ部とが前後に重なり合うように構成されたプロテクターの着用方法であって、前記右重ね合せ部の一部が表側に位置して前記左重ね合せ部の一部が裏側位置し、前記右重ね合せ部のうちの前記一部を除く他の部分が裏側に位置して前記左重ね合せ部のうちの前記一部を除く他の部分が表側に位置するように、前記右重ね合せ部と前記左重ね合せ部とを互いに引っ掛けて前記右パーツと前記左パーツとを掛け止める工程を備えることを特徴とする。
【００２２】
かかる構成によれば、着用時に右パーツを左側に引っ張ると共に左パーツを右側に引っ張って右重ね合せ部と左重ね合せ部とを重ね合わせる際に、右パーツと左パーツとが引っ掛かり合って衝突し合うので、右パーツと左パーツとを引っ張り合う動作が停止して、右パーツと左パーツとが互いに素早く位置決めされる。
【発明の効果】
【００２３】
以上より、本発明によれば、素早く着用することができるプロテクターを提供することができる。
【図面の簡単な説明】
【００２４】
【図１】図１は、本発明の一実施形態に係るプロテクターの正面図である。
【図２】図２は、同実施形態に係るプロテクターの前身頃を開いた状態の図である。
【図３】図３は、同実施形態に係るプロテクターの右パーツの正面図である。
【図４】図４は、同実施形態に係るプロテクターの左パーツの正面図である。
【図５】図５は、同実施形態に係るプロテクターの長さ調整部であって、図１における右パーツに設けられた長さ調整部を部分的に拡大した図である。
【図６】図６は、着用者が同実施形態に係るプロテクターを着用している途中の状態を説明するための図である。
【図７】図７は、着用者が同実施形態に係るプロテクターを着用した状態を説明するための図である。
【図８】図８は、他実施形態に係るプロテクターにおける右パーツ及び左パーツの正面図である。
【図９】図９は、別の実施形態に係るプロテクターの正面図である。
【図１０】図１０は、更に別の実施形態に係るプロテクターの正面図である。
【図１１】図１１は、従来のプロテクターの正面図である。
【発明を実施するための形態】
【００２５】
人体を保護するためのプロテクターは、外部からの衝撃から人体を保護するスポーツ用の防具や、プロテクター自身に浮力を与えて、水の事故等から人体を保護するライフジャケットまで、幅広い分野で使用される。本実施形態では、野球で使用されるプロテクターについて説明する。具体的には、少年野球において、着用者としての捕手が使用するプロテクターについて説明する。
【００２６】
近年、少年野球では試合時間を短縮する傾向にあり、そのためには攻守交替を短時間で行う必要がある。現行のプロテクターでは、捕手が急いでプロテクターを着用した結果、プロテクターが捕手の体にフィットしていない状態や、前身頃を適切に閉じることができずにプロテクターが衣装ずれした状態でプレーを開始せざるを得ない状況が発生している。
【００２７】
プロテクターが体にフィットしていない状態でプレーを開始すると、捕手の動きに伴ってプロテクターがずれてしまうことで捕球や送球等の動きを妨げるので、捕手のパフォーマンスが低下してしまう。これに対し、本実施形態のプロテクターは、着用者の体に素早くフィットさせることができるものとなっている。
【００２８】
以下、本発明の一実施形態に係るプロテクターについて、図面を参照しつつ説明する。
【００２９】
図１及び図２に示すように、本実施形態のプロテクター１は、前身頃２と、前身頃２の背面側に位置する腰当部６と、前身頃２の上端と腰当部６とを連結する前腰連結部７と、腰当部６と前身頃２との胴周方向の距離を調整可能な長さ調整部８とを備える。
【００３０】
前身頃２は、体の右側に位置する右パーツ３と、体の左側に位置する左パーツ４と、右パーツ３と左パーツ４とが着脱自在となるように構成された着脱手段５とを備える。本実施形態の前身頃２は、右パーツ３が右重ね合せ部３１を有し、左パーツ４が左重ね合せ部４１を有し、右重ね合せ部３１と左重ね合せ部４１とが着脱手段５を介して前後に重なり合うように構成された前合わせ式のプロテクター１である。
【００３１】
図２及び図３に示すように、右パーツ３は、所定の厚みを有する一枚の部材で形成されている。右パーツ３は、上下方向Ｘの長さが身幅方向Ｙの長さよりも長く形成されている。右パーツ３は、合わせ側Ｙ１に位置する右重ね合せ部３１と、右重ね合せ部３１を除く領域であって、該右重ね合せ部３１よりも身幅方向外側Ｙ２に広がる非右重なり部３２とを有する。
【００３２】
図３に示すように、右パーツ３の端縁３３は、合わせ側Ｙ１に位置する右合せ側端縁３３１と、着用者の右肩に沿って位置する右肩端縁３３２と、身幅方向外側Ｙ２に位置する右外側端縁３３３と、裾の端縁を構成する右裾端縁３３４とを有する。右合せ側端縁３３１は、着用者の首回りに沿って位置する右首回端縁３３１１と、該右首回端縁３３１１に連続し、着用者の胴部に沿って位置する右胴部端縁３３１２とを有する。
【００３３】
右重ね合せ部３１は、左重ね合せ部４１と重なる部分（領域）である。右重ね合せ部３１は、表地に対して左重ね合せ部４１の裏地が重ねられる右裏部３１１と、裏地に対して左重ね合せ部４１の表地が重ねられる右表部３１２（図３における、破線より合わせ側Ｙ１に位置する領域）と、右裏部３１１と右表部３１２との間に位置する右ロック部３１３であって、右合せ側端縁３３１上に位置する右ロック部３１３とを有する。右ロック部３１３は、上下方向Ｘにおいて、右裏部３１１と右表部３１２との間に位置している。本実施形態の右重ね合せ部３１では、右裏部３１１、右ロック部３１３、及び右表部３１２は、上下方向Ｘにおける上端側から下端側にかけて、右裏部３１１、右ロック部３１３、右表部３１２の順番で配置されている。具体的には、右ロック部３１３よりも上方に右裏部３１１が設けられており、右ロック部３１３よりも下方に右表部３１２が設けられている。
【００３４】
また、本実施形態の右重ね合せ部３１では、右ロック部３１３は、身幅方向Ｙにおいて、右裏部３１１と右表部３１２との間に位置している。具体的には、身幅方向Ｙにおける右ロック部３１３の両端のうちの何れか一方に右裏部３１１の少なくとも一部が設けられ、且つ他方に右表部３１２の少なくとも一部が設けられている。即ち、右裏部３１１の少なくとも一部と右表部３１２の少なくとも一部とが、右ロック部３１３を介して身幅方向Ｙにおける反対側に位置するように、右裏部３１１と右表部３１２とが配置されている。本実施形態では、右裏部３１１及び右表部３１２は、互いに干渉しないように設けられている。
【００３５】
右裏部３１１は、後述する左重ね合せ部４１の左表部４１２と重なる領域であるため、右裏部３１１の形状は、左表部４１２の形状によって決まる。即ち、右裏部３１１は、右合せ側端縁３３１から身幅方向外側Ｙ２に向かって延びるように形成される。本実施形態の右裏部３１１は、右ロック部３１３よりも身幅方向外側Ｙ２に広がるように形成されている。
【００３６】
本実施形態の右裏部３１１は、表地における非右重なり部３２との境界となる位置に右裏区画端縁３１１１と、右合せ側端縁３３１の一部としての右内端縁３１１２とを有する。即ち、右裏区画端縁３１１１と右内端縁３１１２とで囲まれることで、左表部４１２が重ねられる右裏重ね領域Ｐ１が形成されている。右裏区画端縁３１１１は、身幅方向Ｙにおける最も外側に位置し、且つ上下方向Ｘに延びる右裏頂部端縁３１１１ａと、右裏頂部端縁３１１１ａの上端部と右内端縁３１１２の上端部とを繋ぐ右裏上端縁３１１１ｂと、右裏頂部端縁３１１１ａの下端部と右内端縁３１１２の下端部とを繋ぐ右裏下端縁３１１１ｃとを有する。
【００３７】
本実施形態では、右内端縁３１１２の下端部は、右ロック部３１３と一致している。右内端縁３１１２の上端部は、右首回端縁３３１１と右胴部端縁３３１２との境界部３３ａと一致している。即ち、右裏下端縁３１１１ｃの合わせ側端部は、右ロック部３１３と一致している。また、右裏上端縁３１１１ｂの合わせ側端部は、右首回端縁３３１１と右胴部端縁３３１２との境界部３３ａと一致している。
【００３８】
本実施形態の右裏部３１１は、矩形状に形成されている。具体的には、右裏部３１１は、台形状に形成されている。右裏下端縁３１１１ｃ、右裏頂部端縁３１１１ａ、及び右裏上端縁３１１１ｂは、同じ長さに形成されていると共に右内端縁３１１２よりも短く形成されている。即ち、本実施形態の右裏部３１１は、六角形の対向する頂点同士を繋ぐ直線によって、六角形を均等に分割したような形状となっている。右内端縁３１１２は、右ロック部３１３から上方に向けて上下方向Ｘと一致する方向にストレートに延びている。
【００３９】
右表部３１２は、後述する左重ね合せ部４１の左裏部４１１と重なる領域である。即ち、右表部３１２は、右合せ側端縁３３１から身幅方向外側Ｙ２に向かって延びるように形成される。本実施形態の右表部３１２は、右ロック部３１３よりも合わせ側Ｙ１に延出する（広がる）ように形成されている。
【００４０】
本実施形態の右表部３１２は、裏地における非右重なり部３２との境界となる位置に右表区画端縁３１２１と、右合せ側端縁３３１の一部としての右表端縁３１２２とを有する。即ち、右表区画端縁３１２１と右表端縁３１２２とで囲まれることで、左裏部４１１が重ねられる右表重ね領域Ｑ１が形成されている。右表区画端縁３１２１は、上下方向Ｘに沿って設けられている。右表端縁３１２２は、身幅方向Ｙにおける最も合わせ側Ｙ１に位置し、且つ上下方向Ｘに延びる右表頂部端縁３１２２ａと、右表頂部端縁３１２２ａの上端部と右表区画端縁３１２１の上端部とを繋ぐ右表上端縁３１２２ｂと、右表頂部端縁３１２２ａの下端部と右表区画端縁３１２１の下端部とを繋ぐ右表下端縁３１２２ｃとを有する。
【００４１】
本実施形態では、右表区画端縁３１２１の上端部は、右ロック部３１３と一致している。右表区画端縁３１２１の下端部は、右合せ側端縁３３１と右裾端縁３３４との境界部３３ｂと一致している。即ち、右表上端縁３１２２ｂの身幅方向外側端部は、右ロック部３１３と一致している。また、右表下端縁３１２２ｃの身幅方向外側端部は、右合せ側端縁３３１と右裾端縁３３４との境界部３３ｂと一致している。
【００４２】
本実施形態の右表部３１２は、矩形状に形成されている。具体的には、右表部３１２は、台形状に形成されている。右表下端縁３１２２ｃ、右表頂部端縁３１２２ａ、及び右表上端縁３１２２ｂは、同じ長さに形成されていると共に右表区画端縁３１２１よりも短く形成されている。即ち、本実施形態の右表部３１２は、六角形の対向する頂点同士を繋ぐ直線によって、六角形を均等に分割したような形状となっている。右表区画端縁３１２１は、上下方向Ｘと一致する方向にストレートに延びている。
【００４３】
図１に戻って示すように、非右重なり部３２は、着用者の右肩に沿って位置する右肩部３２１であって、背面側に向かって延びる右肩部３２１と、着用者の右腹に沿って位置する右腹部３２２と、着用者の胸部に沿って位置する右胸部３２３とを有する。右肩部３２１は、非右重なり部３２の上端に設けられている。右腹部３２２は、非右重なり部３２の身幅方向外側Ｙ２に設けられている。右胸部３２３は、右肩部３２１と右腹部３２２との間に位置している。
【００４４】
本実施形態の右パーツ３は、右内端縁３１１２と右表端縁３１２２との境界部が右ロック部３１３となっている。右ロック部３１３は、右合せ側端縁３３１の上下方向Ｘにおける中央部に設けられている。
【００４５】
右パーツ３には、表地と裏地との間に緩衝材Ｗが設けられており、ボールが衝突した際の衝撃を緩和できるようになっている。右パーツ３には、表地側に、前後方向に凹む溝３４が、様々な方向に延びるように形成され、緩衝材Ｗが該溝３４によって区画されている。具体的には、表地側には、上下方向Ｘに延びる溝３４や、身幅方向Ｙに延びる溝３４や、上下方向Ｘ又は身幅方向Ｙに交差する方向に延びる溝３４が形成されている。
【００４６】
本実施形態では、右パーツ３の表地には、右重ね合せ部３１と非右重なり部３２との境界に沿って溝３４が形成されている。具体的には、右表部３１２と右腹部３２２との間に右開閉溝３４ａが形成されている。右開閉溝３４ａは、右ロック部３１３近傍から上下方向Ｘに延びるか、又は身幅方向外側Ｙ２（右側）に向かって上下方向Ｘに交差する方向に延びるように右パーツ３の表地に形成されている。本実施形態の右開閉溝３４ａは、右ロック部３１３から上下方向Ｘ下方に向かって延びている。
【００４７】
また、右パーツ３の表地には、右開閉溝３４ａよりも身幅方向外側Ｙ２に、上下方向Ｘ又は上下方向Ｘに交差する方向に沿って延びる右外開閉溝３４ｂが形成されている。
【００４８】
本実施形態の右パーツ３は、右裏部３１１の厚みが、右表部３１２の厚み及び非右重なり部３２の厚みよりも薄く形成されている。これにより、右裏重ね領域Ｐ１が、前後方向に凹んだ形状となっている。
【００４９】
図２及び図４に示すように、左パーツ４は、所定の厚みを有する一枚の部材で形成されている。左パーツ４は、上下方向Ｘの長さが身幅方向Ｙの長さよりも長く形成されている。左パーツ４は、合わせ側Ｙ１に位置する左重ね合せ部４１と、左重ね合せ部４１を除く領域であって、該左重ね合せ部４１よりも身幅方向外側Ｙ２に広がる非左重なり部４２とを有する。
【００５０】
左パーツ４の端縁４４は、合わせ側Ｙ１に位置する左合せ側端縁４４１と、着用者の左肩に沿って位置する左肩端縁４４２と、身幅方向外側Ｙ２に位置する左外側端縁４４３と、裾の端縁を構成する左裾端縁４４４とを有する。左合せ側端縁４４１は、着用者の首回りに沿って位置する左首回端縁４４１１と、該左首回端縁４４１１に連続し、着用者の胴部に沿って位置する左胴部端縁４４１２とを有する。
【００５１】
左重ね合せ部４１は、右重ね合せ部３１と重なる部分（領域）である。左重ね合せ部４１は、表地に対して右重ね合せ部３１の裏地が重ねられる左裏部４１１と、裏地に対して右重ね合せ部３１の表地が重ねられる左表部４１２（図４における、破線より合わせ側Ｙ１に位置する領域）と、左裏部４１１と左表部４１２との間に位置する左ロック部４１３であって、左合せ側端縁４４１上に位置する左ロック部４１３とを有する。左ロック部４１３は、上下方向Ｘにおいて、左裏部４１１と左表部４１２との間に位置している。本実施形態の左重ね合せ部４１では、左表部４１２、左ロック部４１３、及び左裏部４１１は、上下方向Ｘにおける上端側から下端側にかけて、左表部４１２、左ロック部４１３、左裏部４１１の順番で配置されている。具体的には、左ロック部４１３よりも上方に左表部４１２が設けられており、左ロック部４１３よりも下方に左裏部４１１が設けられている。
【００５２】
また、本実施形態の左重ね合せ部４１では、左ロック部４１３は、身幅方向Ｙにおいて、左裏部４１１と左表部４１２との間に位置している。具体的には、身幅方向Ｙにおける左ロック部４１３の両端のうちの何れか一方に左裏部４１１の少なくとも一部が設けられ、且つ他方に左表部４１２の少なくとも一部が設けられている。即ち、左裏部４１１の少なくとも一部と左表部４１２の少なくとも一部とが、左ロック部４１３を介して身幅方向Ｙにおける反対側に位置するように、左裏部４１１と左表部４１２とが配置されている。本実施形態では、左裏部４１１及び左表部４１２は、互いに干渉しないように設けられている。
【００５３】
左裏部４１１は、右表部３１２と重なる領域であるため、左裏部４１１の形状は、右表部３１２の形状によって決まる。即ち、左裏部４１１は、左合せ側端縁４４１から身幅方向外側Ｙ２に向かって延びるように形成される。本実施形態の左裏部４１１は、左ロック部４１３よりも身幅方向外側Ｙ２に広がるように形成されている。
【００５４】
本実施形態の左裏部４１１は、表地における非左重なり部４２との境界となる位置に左裏区画端縁４１１１と、左合せ側端縁４４１の一部としての左内端縁４１１２とを有する。即ち、左裏区画端縁４１１１と左内端縁４１１２とで囲まれることで、右表部３１２が重ねられる左裏重ね領域Ｐ２が形成されている。左裏区画端縁４１１１は、身幅方向Ｙにおける最も外側に位置し、且つ上下方向Ｘに延びる左裏頂部端縁４１１１ａと、左裏頂部端縁４１１１ａの上端部と左内端縁４１１２の上端部とを繋ぐ左裏上端縁４１１１ｂと、左裏頂部端縁４１１１ａの下端部と左内端縁４１１２の下端部とを繋ぐ左裏下端縁４１１１ｃとを有する。
【００５５】
本実施形態では、左内端縁４１１２の上端部は、左ロック部４１３と一致している。左内端縁４１１２の下端部は、左合せ側端縁４４１と左裾端縁４４４との境界部４４ａと一致している。即ち、左裏下端縁４１１１ｃの合わせ側端部は、左合せ側端縁４４１と左裾端縁４４４との境界部４４ａと一致している。また、左裏上端縁４１１１ｂの合わせ側端部は、左ロック部４１３と一致している。
【００５６】
本実施形態の左裏部４１１は、矩形状に形成されている。具体的には、左裏部４１１は、台形状に形成されている。左裏下端縁４１１１ｃ、左裏頂部端縁４１１１ａ、及び左裏上端縁４１１１ｂは、同じ長さに形成されていると共に左内端縁４１１２よりも短く形成されている。即ち、本実施形態の左裏部４１１は、六角形の対向する頂点同士を繋ぐ直線によって、六角形を均等に分割したような形状となっている。左内端縁４１１２は、左ロック部４１３から上下方向Ｘと一致する方向にストレートに延びている。
【００５７】
左表部４１２は、右裏部３１１と重なる領域である。即ち、左表部４１２は、左合せ側端縁４４１から身幅方向外側Ｙ２に向かって延びるように形成される。本実施形態の左表部４１２は、左ロック部４１３よりも合わせ側Ｙ１に延出する（広がる）ように形成されている。
【００５８】
本実施形態の左表部４１２は、裏地における非左重なり部４２との境界となる位置に左表区画端縁４１２１と、左合せ側端縁４４１の一部としての左表端縁４１２２とを有する。即ち、左表区画端縁４１２１と左表端縁４１２２とで囲まれることで、右裏部３１１が重ねられる左表重ね領域Ｑ２が形成されている。左表区画端縁４１２１は、上下方向Ｘに沿って設けられている。左表端縁４１２２は、身幅方向Ｙにおける最も合わせ側Ｙ１に位置し、且つ上下方向Ｘに延びる左表頂部端縁４１２２ａと、左表頂部端縁４１２２ａの上端部と左表区画端縁４１２１の上端部とを繋ぐ左表上端縁４１２２ｂと、左表頂部端縁４１２２ａの下端部と左表区画端縁４１２１の下端部とを繋ぐ左表下端縁４１２２ｃとを有する。
【００５９】
本実施形態では、左表区画端縁４１２１の上端部は、左首回端縁４４１１と左胴部端縁４４１２との境界部４４ｂと一致している。左表区画端縁４１２１の下端部は、左ロック部４１３と一致している。即ち、左表上端縁４１２２ｂの身幅方向外側端部は、左首回端縁４４１１と左胴部端縁４４１２との境界部４４ｂと一致している。また、左表下端縁４１２２ｃの身幅方向外側端部は、左ロック部４１３と一致している。
【００６０】
本実施形態の左表部４１２は、矩形状に形成されている。具体的には、左表部４１２は、台形状に形成されている。左表下端縁４１２２ｃ、左表頂部端縁４１２２ａ、及び左表上端縁４１２２ｂは、同じ長さに形成されていると共に左表区画端縁４１２１よりも短く形成されている。即ち、本実施形態の左表部４１２は、六角形の対向する頂点同士を繋ぐ直線によって、六角形を均等に分割したような形状となっている。左表区画端縁４１２１は、上下方向Ｘと一致する方向にストレートに延びている。
【００６１】
図１に戻って示すように、非左重なり部４２は、着用者の左肩に沿って位置する左肩部４２１であって、背面側に向かって延びる左肩部４２１と、着用者の左腹に沿って位置する左腹部４２２と、着用者の胸部に沿って位置する左胸部４２３とを有する。左肩部４２１は、非左重なり部４２の上端に設けられている。左腹部４２２は、非左重なり部４２の身幅方向外側Ｙ２に設けられている。左胸部４２３は、左肩部４２１と左腹部４２２との間に位置している。本実施形態の左胸部４２３は、中央部Ｃを囲むように設けられた、第１パーツ４２３ａ、第２パーツ４２３ｂ、及び第３パーツ４２３ｃを有する。
【００６２】
本実施形態の左パーツ４は、左内端縁４１１２と左表端縁４１２２との境界部が左ロック部４１３となっている。左ロック部４１３は、左合せ側端縁４４１の上下方向Ｘにおける中央部に設けられている。
【００６３】
左パーツ４には、表地と裏地との間に緩衝材Ｗが設けられており、ボールが衝突した際の衝撃を緩和できるようになっている。左パーツ４には、表地側に、前後方向に凹む溝４５が、様々な方向に延びるように形成され、緩衝材Ｗが該溝４５によって区画されている。具体的には、表地側には、上下方向Ｘに延びる溝４５や、身幅方向Ｙに延びる溝４５や、上下方向Ｘ又は身幅方向Ｙに交差する方向に延びる溝４５が形成されている。
【００６４】
本実施形態では、左パーツ４の表地には、左胸部４２３における各パーツの境界に沿って溝４５が形成されている。具体的には、第１パーツ４２３ａと第２パーツ４２３ｂとの間に左開閉溝４５ａが形成されている。左開閉溝４５ａは、左ロック部４１３近傍から上下方向Ｘに延びるか、又は身幅方向外側Ｙ２（左側）に向かって上下方向Ｘに交差する方向に延びるように左パーツ４の表地に形成されている。本実施形態の左開閉溝４５ａは、左ロック部４１３から左斜め上方に向かって延びている。
【００６５】
また、左パーツ４の表地には、左開閉溝４５ａよりも身幅方向外側Ｙ２に、上下方向Ｘ又は上下方向Ｘに交差する方向に沿って延びる左外開閉溝４５ｂが形成されている。
【００６６】
本実施形態の左パーツ４は、左裏部４１１の厚みが、左表部４１２の厚み及び非左重なり部４２の厚みよりも薄く形成されている。これにより、左裏重ね領域Ｐ２が、前後方向に凹んだ形状となっている。
【００６７】
本実施形態の前身頃２では、右裏部３１１の表地と裏地との間に薄手の緩衝材Ｗが設けられている。そのため、右裏部３１１は、右表部３１２よりも薄く形成されており、右パーツ３は、右裏部３１１において、前後方向へ凹んだ形状となっている。また、左裏部４１１の表地と裏地との間に薄手の緩衝材Ｗが設けられている。そのため、左裏部４１１は、左表部４１２よりも薄く形成されており、左パーツ４は、左裏部４１１において、前後方向へ凹んだ形状となっている。
【００６８】
また、本実施形態の前身頃２は、右パーツ３と左パーツ４とを逆方向に引っ張り合って右重ね合せ部３１と左重ね合せ部４１とを重ね合わせる際に、右合せ側端縁３３１と左合せ側端縁４４１とが前後方向で交差することで、右合せ側端縁３３１と左合せ側端縁４４１とが衝突（当接）し、右パーツ３と左パーツ４とが引っ張り方向に対して停止するように構成されている。具体的には、右重ね合せ部３１と左重ね合せ部４１とを重ね合わせる際に、右ロック部３１３と左ロック部４１３とが衝突（当接）し、掛け止め部Ｚ（図１参照）が形成される。
【００６９】
図１に戻って示すように、前身頃２は、右重ね合せ部３１と左重ね合せ部４１とを重ね合わせることで、右表部３１２と左裏部４１１とが重なる部分である右表重ね合せ部３０と、右裏部３１１と左表部４１２とが重なる部分である左表重ね合せ部４０とが形成される。右表重ね合せ部３０では、右表部３１２が掛け止め部Ｚよりも左側に延出している。左表重ね合せ部４０では、左表部４１２が掛け止め部Ｚよりも右側に延出している。本実施形態の前身頃２は、右表部３１２が左裏部４１１に対して嵌まり込むようにして右重ね合せ部３１と左重ね合せ部４１とが重ね合わされた状態となる。また、左表部４１２が右裏部３１１に対して嵌まり込むようにして右重ね合せ部３１と左重ね合せ部４１とが重ね合わされた状態となる。
【００７０】
図３及び図４に示すように、着脱手段５は、右パーツ３に設けられた右着脱部５１と、左パーツ４に設けられた左着脱部５２とを有する。本実施形態の着脱手段５は、前身頃２の表地、又は裏地に設けられている。具体的には、着脱手段５は、右重ね合せ部３１及び左重ね合せ部４１に設けられている。
【００７１】
図２及び図３に示すように、右着脱部５１は、右裏部３１１の表地に設けられた右裏着脱部５１１と、右表部３１２の裏地に設けられた右表着脱部５１２とを有する。右裏着脱部５１１は、右裏部３１１の表地における略全領域に亘って設けられている。また、右表着脱部５１２は、右表部３１２の裏地における略全領域に亘って設けられている。
【００７２】
図２及び図４に示すように、左着脱部５２は、左裏部４１１の表地に設けられた左裏着脱部５２１と、左表部４１２の裏地に設けられた左表着脱部５２２とを有する。左裏着脱部５２１は、左裏部４１１の表地における略全領域に亘って設けられている。また、左表着脱部５２２は、左表部４１２の裏地における略全領域に亘って設けられている。
【００７３】
本実施形態の着脱手段５は、面ファスナーである。具体的には、右裏着脱部５１１及び左裏着脱部５２１がオス側であり、右表着脱部５１２及び左表着脱部５２２がメス側である。これにより、右裏着脱部５１１と左表着脱部５２２とが互いに噛み合い、右表着脱部５１２と左裏着脱部５２１とが互いに噛み合う。
【００７４】
図２に示すように、腰当部６は、着用者の腰の背面側に沿って位置する部分である。腰当部６は、薄板状の部材である。腰当部６は、縦方向の長さが横方向の長さよりも長く形成されている。腰当部６は、横方向に延びる腰当本体６１と、該腰当本体６１の中央部から縦方向に延出する延出部６２とを有する。本実施形態の腰当部６は、腰当本体６１が、横方向に延びる矩形状となっている。また、延出部６２は、腰当本体６１における横方向に延びる一対の辺のうちの一方の辺の中央部から縦方向に延出している。具体的には、腰当部６は、Ｔ字状に形成されている。
【００７５】
腰当部６は、腰当本体６１と長さ調整部８とを連結する一対の横連結部（図示しない）と、延出部６２と前腰連結部７とを連結する中央連結部（図示しない）と、を有する。横連結部は、腰当本体６１の横方向における両端部に設けられている。本実施形態の横連結部には、後述する長さ調整部８における本体部８１を挿通するための挿通孔が形成されている。
【００７６】
前腰連結部７は、着用者の背中から肩に沿って位置する部分である。前腰連結部７は、薄板状の部材である。前腰連結部７は、右パーツ３の右肩部３２１と、左パーツ４の左肩部４２１と、腰当部６の延出部６２とを連結している。
【００７７】
長さ調整部８は、腰当部６と前身頃２との胴周方向の距離を調整する部分である。腰当部６と前身頃２との胴周方向の長さとは、着用者の胴回りの長さに対応する部分の長さである。腰当部６と前身頃２との胴周方向の距離には、胸囲及び胴囲が含まれる。
【００７８】
図２及び図５に示すように、長さ調整部８は、腰当部６と前身頃２とを連結する帯状の本体部８１と、本体部８１の先端部８１ａが挿通可能な挿通部８２とを有する。図５は、右パーツ３に設けられた長さ調整部８を示すものである。
【００７９】
本体部８１は、先端部８１ａが前身頃２側に位置するように腰当部６から延設される。また、本体部８１は、挿通部８２に挿通された先端部８１ａが挿通部８２を起点に腰当部６側へ折り返されて、本体部８１における挿通部８２よりも腰当部６側の領域Ｓに着脱自在に構成されている。
【００８０】
本実施形態の本体部８１は、一本の帯状体である。本体部８１は、長さ方向における両端部のうちの一端である第１端部８１１と、両端部のうちの他端である第２端部８１２とを有する。本体部８１は、先端部８１ａにおける一方の面に面ファスナーのオスＦ１側が設けられ、面ファスナーのオスＦ１側が設けられた面と同じ面側に、面ファスナーのメスＦ２側が設けられている。
【００８１】
図１に示すように、挿通部８２は、前身頃２の身幅方向外側端部に取り付けられている。本実施形態の挿通部８２は、右パーツ３及び左パーツ４のそれぞれに取り付けられている。具体的には、挿通部８２は、右パーツ３においては、非右重なり部３２の右腹部３２２に取り付けられている。また、挿通部８２は、左パーツ４においては、非左重ね合せ部４１の左腹部４２２に取り付けられている。
【００８２】
長さ調整部８は、本体部８１の第１端部８１１が右パーツ３に取り付けられた挿通部８２に挿通され、本体部８１の第２端部８１２が左パーツ４に取り付けられた挿通部８２に挿通されることで、右パーツ３の右外側端縁３３３から左パーツ４の左外側端縁４４３に背面側で架け渡されている。また、長さ調整部８は、本体部８１が腰当部６における横連結部に形成された挿通孔に挿通されることで、腰当部６から延設されている。そのため、本実施形態では、本体部８１の第１端部８１１及び第２端部８１２が、それぞれ先端部８１ａとなっている。
【００８３】
本実施形態に係るプロテクター１の説明は以上である。以下、本実施形態のプロテクター１の着用方法について、図６及び図７を参照しつつ説明する。
【００８４】
プロテクター１は前合わせ式に構成されているため、まず、着用者は、ベスト等の前合わせ式の衣類と同様の方法で、プロテクター１をはおる。
【００８５】
着用者は、右重ね合せ部３１の一部が表側に位置して左重ね合せ部４１の一部が裏側位置し、右重ね合せ部３１のうちの一部を除く他の部分が裏側に位置して左重ね合せ部４１のうちの一部を除く他の部分が表側に位置するように、右重ね合せ部３１と左重ね合せ部４１とを互いに引っ掛けて右パーツ３と左パーツ４とを掛け止める。
【００８６】
具体的には、図６に示すように、着用者は、右手で右パーツ３の右表部３１２を把持し、左手で左パーツ４の左表部４１２を把持する。着用者は、右表部３１２と左表部４１２とが交差するように、右パーツ３及び左パーツ４を引き寄せる。そうすると、右合せ側端縁３３１と左合せ側端縁４４１とが衝突するので、右パーツ３と左パーツ４とが位置決めされる。着用者は、右パーツ３と左パーツ４とが位置決めされたことを確認し、右パーツ３の右重ね合せ部３１と左パーツ４の左重ね合せ部４１とを互いに止め合わせる。
【００８７】
より詳細に説明する。着用者が、右表部３１２と左表部４１２とが交差するように右パーツ３及び左パーツ４を引き寄せていくと、右表部３１２が表側に位置して左裏部４１１が裏側に位置する配置をとりつつ、左表部４１２が表側に位置して右裏部３１１が裏側に位置する配置をとりながら、右重ね合せ部３１と左重ね合せ部４１とが前後方向で重なり合った状態となる。この状態では、右パーツ３の右表端縁３１２２が表側に位置して左パーツ４の左内端縁４１１２が裏側に位置し、且つ左パーツ４の左表端縁４１２２が表側に位置して右パーツ３の右内端縁３１１２が裏側に位置する。
【００８８】
そのため、右パーツ３の右合せ側端縁３３１と、左パーツ４の左合せ側端縁４４１とが、前後方向で交差した状態となる。この状態で、着用者が、右パーツ３と左パーツ４とを更に引き寄せると、右表端縁３１２２と右内端縁３１１２との境界部に位置する右ロック部３１３と、左内端縁４１１２と左表端縁４１２２との境界部に位置する左ロック部４１３とが衝突して掛け止め部Ｚが形成され、右パーツ３と左パーツ４との引き寄せが停止する。
【００８９】
右パーツ３及び左パーツ４は、右パーツ３と左パーツ４との引き寄せ（引っ張り）が停止した位置で互いに位置決めされるように構成されている。具体的には、右ロック部３１３と左ロック部４１３とが衝突した状態で、着用者は、面ファスナー同士を接触させて右表部３１２と左裏部４１１とを噛み合わせ、左表部４１２と右裏部３１１とを噛み合わせる。これにより、右表重ね合せ部３０及び右表重ね合せ部３０が形成され、前身頃２は、右重ね合せ部３１と左重ね合せ部４１とが位置決めされた状態で閉じられる。
【００９０】
着用者は、着用後、長さ調整部８を調整することで、プロテクター１を自身の体にフィットさせる。具体的には、着用者は、胴回りが緩い場合には、本体部８１の先端部８１ａを引っ張ることで、本体部８１を挿通部８２から長く引き出して、プロテクター１の胴周方向の長さを絞る。また、着用者は、胴回りがきつい場合には、本体部８１を挿通部８２から短く引き出して、プロテクター１の胴周方向の長さを緩める。
【００９１】
以上のように、上記実施形態のプロテクター１によれば、着用時に右パーツ３を左側に引っ張ると共に左パーツ４を右側に引っ張って右重ね合せ部３１と左重ね合せ部４１とを重ね合わせる際に、右表重ね合せ部３０と左表重ね合せ部４０との間で、右パーツ３と左パーツ４とが引っ掛かり合って衝突し合う掛け止め部Ｚが形成される。そのため、右重ね合せ部３１と左重ね合せ部４１とを重ね合わせる際に、右パーツ３と左パーツ４とを引っ張り合う動作が停止して、右パーツ３と左パーツ４とが互いに着脱可能な位置で素早く位置決めされる。
【００９２】
また、右表重ね合せ部３０では、右重ね合せ部３１が掛け止め部Ｚよりも左側に延出し、左表重ね合せ部４０では、左重ね合せ部４１が掛け止め部Ｚよりも右側に延出しているので、着用時に、右表重ね合せ部３０における右重ね合せ部３１と、左表重ね合せ部４０における左重ね合せ部４１とを左右方向で交差させれば、右パーツ３と左パーツ４とが衝突して掛け止め部Ｚが形成され、右パーツ３と左パーツ４との着脱位置が位置決めされる。
【００９３】
上記実施形態では、着脱手段５は、右表重ね合せ部３０では右重ね合せ部３１の裏面及び左重ね合せ部４１の表面に設けられ、左表重ね合せ部４０では左重ね合せ部４１の裏面及び右重ね合せ部３１の表面に設けられている。そのため、右重ね合せ部３１と左重ね合せ部４１とを重ね合わせるだけで、右重ね合せ部３１と左重ね合せ部４１とを取り付ける（付け合わせる）ことができるので、右パーツ３と左パーツ４とが互いに着脱可能な位置で素早く位置決めされる。
【００９４】
また、上記実施形態では、右表重ね合せ部３０及び左表重ね合せ部４０は、１つずつ形成されているので、右パーツ３と左パーツ４とを重ね合わせる動作を最小限にできて、右パーツ３と左パーツ４とを素早く位置決めすることができる。
【００９５】
上記実施形態では、長さ調整部８を備えることで、プロテクター１が緩い場合には、着用者は、本体部８１を挿通部８２から長く引き出した状態で本体部８１を折り返して先端部８１ａを本体部８１に付けることで、胴周の長さを絞ることができる。また、プロテクター１がきつい場合には、着用者は、本体部８１を挿通部８２から短く引き出した状態で本体部８１を折り返して先端部８１ａを本体部８１に付けることで、胴周の長さを緩めることができる。そのため、着用者は、胴体回りの長さを容易に調整することができるので、プロテクター１をフィットさせ易くなっている。また、本体部８１の先端部８１ａが手に届く範囲にあるので、着用者は、プロテクター１を着用したまま本体部８１の先端部８１ａを操作することができ、着用したままフィット感を調整することができる。
【００９６】
本実施形態の右裏部３１１は、右パーツ３の表地上で区画されている。また、左裏部４１１は、左パーツ４の表地上で区画されている。そのため、着用者は、左表部４１２を重ねる位置及び右表部３１２を重ねる位置を容易に視認できるため、左表部４１２を右裏部３１１に対して位置合わせし易く、且つ右表部３１２を左裏部４１１に対して位置合わせし易くなっている。
【００９７】
上記実施形態では、右パーツ３の表地には、右重ね合せ部３１と非右重なり部３２との境界に沿って溝３４が形成されている。即ち、右表部３１２と右腹部３２２との間に右開閉溝３４ａが形成されている。そのため、右表部３１２が前側に向けて折れ易くなっている（倒れ易くなっている）。これにより、着用者は、右表部３１２を、右開閉溝３４ａを中心に柔軟に開閉させることができるので、右表部３１２が右手の動きに馴染みやすくなっており、右表部３１２と左裏部４１１との着脱動作が行い易くなっている。
【００９８】
上記実施形態では、左パーツ４の表地には、左胸部４２３における各パーツの境界に沿って溝４５が形成されている。即ち、第１パーツ４２３ａと第２パーツ４２３ｂとの間に左開閉溝４５ａが形成されている。そのため、左表部４１２と第１パーツ４２３ａとが前側に向けて折れ易くなっている（倒れ易くなっている）。これにより、着用者は、左表部４１２と第１パーツ４２３ａとを、左開閉溝４５ａを中心に柔軟に開閉させることができるので、左表部４１２と第１パーツ４２３ａとが左手の動きに馴染みやすくなっており、左表部４１２と右裏部３１１との着脱動作が行い易くなっている。
【００９９】
また上記実施形態では、右パーツ３の表地及び左パーツ４の表地には、前後方向に凹む溝が様々な方向に延びるように形成されている。そのため、右パーツ３及び左パーツ４がブロック状に細かく分断されるので、前身頃２が着用者の体に追従し易く、着用者の動きを妨げ難くなっている。
【０１００】
尚、本発明のプロテクター１は、上記実施形態に限定されるものではなく、本発明の要旨を逸脱しない範囲内において種々変更を加え得ることは勿論である。
【０１０１】
上記実施形態では、右表重ね合せ部３０と左表重ね合せ部４０とが上下方向Ｘに並んで形成される場合について説明したが、これに限定されるものではない。右表重ね合せ部３０と左表重ね合せ部４０とは、身幅方向Ｙに並んで形成されていてもよいし、上下方向Ｘ又は身幅方向Ｙに傾斜する方向に並ぶように形成されていてもよい。
【０１０２】
上記実施形態では、右内端縁３１１２が右ロック部３１３から上方に向けて上下方向Ｘと一致する方向にストレートに延び、左内端縁４１１２が左ロック部４１３から上下方向Ｘと一致する方向にストレートに延びている場合について説明したが、これに限定されるものではない。図８に示すように、右内端縁３１１２は、右ロック部３１３よりも左側に延出していてもよい。また、左内端縁４１１２は、左ロック部４１３よりも右側に延出していてもよい。
【０１０３】
上記実施形態では、右表重ね合せ部３０及び左表重ね合せ部４０は、１つずつ形成され、掛け止め部Ｚが１つ形成されている場合について説明したが、これに限定されるものではない。図９に示すように、右表重ね合せ部３０が左表重ね合せ部４０によって上下方向Ｘで挟まれるようにして、掛け止め部Ｚが２つ形成されていてもよい。また、掛け止め部Ｚは、２つ以上形成されていてもよい。
【０１０４】
上記実施形態では、右表重ね合せ部３０が下方に形成され、左表重ね合せ部４０が右表重ね合せ部３０の上方に形成されている場合について説明するものであるが、右表重ね合せ部３０と左表重ね合せ部４０とは、上下逆に形成されていてもよい。例えば、図１０に示すように、右表部３１２が右ロック部３１３の上方に設けられ、右裏部３１１が右ロック部の下方に設けられていてもよい。そして、左表部４１２が左ロック部４１３の下方に設けられ、左裏部４１１が左ロック部４１３の上方に設けられていてもよい。
【０１０５】
また、右表部３１２が右ロック部３１３よりも合わせ側Ｙ１（左側）に延出しているものに限られず、右表部３１２は、右表端縁３１２２が右ロック部３１３から上下方向Ｘに沿ってストレートに延びるように構成されていてもよい。また、左表部４１２が左ロック部４１３よりも合わせ側Ｙ１（右側）に延出しているものに限られず、左表部４１２は、左ロック部４１３から上下方向Ｘに沿ってストレートに延びるように構成されていてもよい。
【０１０６】
また、右表部３１２の両面及び右裏部３１１の両面に着脱手段が設けられ、左表部４１２の両面及び左裏部４１１の両面に着脱手段が設けられることで、右重ね合せ部３１と左重ね合せ部４１との何れを前側、裏側にして重ねても着脱可能となるように構成してもよい。
【０１０７】
上記実施形態では特に言及するものではないが、右合せ側端縁３３１及び左合せ側端縁４４１は、直線状の端縁が繋ぎ合わされて構成されていてもよく、湾曲した端縁が繋ぎ合わされて構成されていてもよい。
【０１０８】
上記実施形態では、右重ね合せ部３１と左重ね合せ部４１とは、面ファスナーによって着脱自在に構成されている場合について説明したが、これに限定されない。右重ね合せ部３１と左重ね合せ部４１とは、ボタン、バックル、マグネット等の着脱手段によって着脱自在に構成されていてもよい。
【０１０９】
上記実施形態では、プロテクター１が少年野球において捕手が使用する場合について説明したが、これに限定されるものではない。プロテクター１は、様々な競技及び場面で使用される。例えば、プロテクター１は、成人が使用するものであってもよいし、ソフトボールで使用されてもよい。また、審判や、捕手以外の選手が使用することもできる。更に、空手やテコンドー等の格闘技系の競技や、ライフジャケット等の救命着としても使用することができる。
【０１１０】
上記実施形態では、掛け止め部Ｚが着用者の体の前面における中央部に位置する場合について説明したが、これに限定されるものではない。掛け止め部Ｚは、例えば、着用者の右前面又は左前面に偏って位置していてもよい。また、掛け止め部Ｚは、例えば、前身頃２の上方に位置していてもよいし、左方、又は右方の何れかに偏って位置していてもよい。
【０１１１】
上記実施形態では特に言及するものではないが、着用者がプロテクター１を着用した状態で、右ロック部３１３と左ロック部４１３とが衝突して掛け止め部Ｚが形成されていてもよいし、着用者がプロテクター１を着用した状態で、掛け止め部Ｚが形成されていなくてもよい。要は、右重ね合せ部３１と左重ね合せ部４１とを重ね合わせる際に、右重ね合せ部３１と左重ね合せ部４１とが互いに引っ掛かる（衝突する）ことで引っ張り動作が停止して、右パーツ３と左パーツ４とが位置決めされた状態で着用できればよい。
【符号の説明】
【０１１２】
１…プロテクター、２…前身頃、３…右パーツ、３０…右表重ね合せ部、３１…右重ね合せ部、３２…非右重なり部、３１１…右裏部、３１２…右表部、３１３…右ロック部、３２１…右肩部、３２２…右腹部、３２３…右胸部、３３１…右合せ側端縁、３３２…右肩端縁、３３３…右外側端縁、３３４…右裾端縁、４…左パーツ、３３，４４…端縁、３３ａ，３３ｂ，４４ａ，４４ｂ…境界部、３４，４５…溝、３４ａ…右開閉溝、３４ｂ…右外開閉溝、３１１１…右裏区画端縁、３１１１ａ…右裏頂部端縁、３１１１ｂ…右裏上端縁、３１１１ｃ…右裏下端縁、３１１２…右内端縁、３１２１…右表区画端縁、３１２２…右表端縁、３１２２ａ…右表頂部端縁、３１２２ｂ…右表上端縁、３１２２ｃ…右表下端縁、３３１１…右首回端縁、３３１２…右胴部端縁、４０…左表重ね合せ部、４１…左重ね合せ部、４２…非左重なり部、４５ａ…左開閉溝、４５ｂ…左外開閉溝、４１１…左裏部、４１２…左表部、４１３…左ロック部、４２１…左肩部、４２２…左腹部、４２３…左胸部、４２３ａ…第１パーツ、４２３ｂ…第２パーツ、４２３ｃ…第３パーツ、４４１…左合せ側端縁、４４２…左肩端縁、４４３…左外側端縁、４４４…左裾端縁、４１１１…左裏区画端縁、４１１１ａ…左裏頂部端縁、４１１１ｂ…左裏上端縁、４１１１ｃ…左裏下端縁、４１１２…左内端縁、４１２１…左表区画端縁、４１２２…左表端縁、４１２２ａ…左表頂部端縁、４１２２ｂ…左表上端縁、４１２２ｃ…左表下端縁、４４１１…左首回端縁、４４１２…左胴部端縁、５…着脱手段、５１…右着脱部、５２…左着脱部、５１１…右裏着脱部、５１２…右表着脱部、５２１…左裏着脱部、５２２…左表着脱部、６…腰当部、６１…腰当本体、６２…延出部、７…前腰連結部、８…長さ調整部、８１…本体部、８１ａ…先端部、８２…挿通部、８１１…第１端部、８１２…第２端部、Ｃ…中央部、Ｆ１…オス、Ｆ２…メス、Ｐ１…右裏重ね領域、Ｐ２…左裏重ね領域、Ｑ１…右表重ね領域、Ｑ２…左表重ね領域、Ｓ…領域、Ｗ…緩衝材、Ｘ…上下方向、Ｙ…身幅方向、Ｙ１…合わせ側、Ｙ２…身幅方向外側、Ｚ…掛け止め部
【図１】
0006507123.tif 000002
【図２】
0006507123.tif 000003
【図３】
0006507123.tif 000004
【図４】
0006507123.tif 000005
【図５】
0006507123.tif 000006
【図６】
0006507123.tif 000007
【図７】
0006507123.tif 000008
【図８】
0006507123.tif 000009
【図９】
0006507123.tif 000010
【図１０】
0006507123.tif 000011
【図１１】
0006507123.tif 000012